(57)【要約】【課題】パネルの取付けにねじを用いる場合に、見栄えを悪くすることなく取り付けることができる照明器具を提供する。【解決手段】器具本体２０は、発光部４０の照射方向に開口２１を有し、パネル３１によって覆われる。パネル３１は、開口２１に取り付けられる枠３２により支持される。枠３２は、パネル３１を上方移動可能に支持するパネル支持部３３と、パネル３１の上方への移動を規制するパネル規制板３４Ａと、パネル支持部３３とパネル規制板３４Ａとを連結する連結板３４Ｃとを有する。連結板３４Ｃは、開口２１の内側面にねじ止めされる。これにより、パネル３１は、枠３２のパネル支持部３３とパネル規制板３４Ａとの間で上下移動可能に支持されるため、パネル３１を押し上げることにより、連結板３４Ｃを器具本体２０の開口２１の側面にねじ止めすることができる。そして、パネル３１を下降させることにより、ねじ２７はパネル３１で隠されるので、見栄えを悪くすることなくねじ止めすることができる。【選択図】図２
2014071940.tif 000002
【特許請求の範囲】
【請求項１】
発光部を支持し、前記発光部の照射方向に開口を有する器具本体と、
前記開口に取り付けられるパネルと、
前記パネルを前記器具本体に取り付ける枠と、を備え、
前記枠が、
前記パネルの下面を上方移動可能に支持するパネル支持部と、
前記パネル支持部の上側に対向して設けられ、前記パネルの上方への移動を規制するパネル規制板と、
前記パネル支持部と前記パネル押えとを連結するとともに前記開口の内側面にねじ止めされる連結板と、を有する照明器具。
【発明の詳細な説明】
【技術分野】
【０００１】
本発明は、発光部の照射方向に着脱可能なパネルを有する照明器具に関するものである。
【背景技術】
【０００２】
従来、発光部の照射方向にパネルを設けて、配光制御を行う照明器具が知られている（例えば、特許文献１、特許文献２参照）。
このような照明器具においては、発光部の光源の交換等のために、パネルは着脱可能となっている。
例えば、図６に示すように、パネル１００は、パネル１００の枠１０１に取り付けられている取付ばね１０２を、器具本体１０３に取り付けられている取付金具１０４の取付開口（図示省略）に取り付けることにより、着脱可能に取り付けることができる。
また、図７に示すように、パネル１０５の枠１０６を、ねじ１０７によって器具本体１０８の下面に取り付けることができる。
【先行技術文献】
【特許文献】
【０００３】
【特許文献１】特開２０１０−５００６０号公報（第３図）
【特許文献２】特開２００９−２６６７８０号公報（第１図）
【発明の概要】
【発明が解決しようとする課題】
【０００４】
しかしながら、前述したような従来の照明器具においては、パネル１００を取付ばね１０２で取り付ける場合に、枠１０１の近傍に構造物等がある場合には、手を入れるスペースがないために使用できないという問題があった。
また、パネル１０５をねじ１０７によって器具本体１０８の下面に取り付ける際には、ねじ１０７が見えるため、下方からの見栄えが悪いという問題があった。
【０００５】
本発明は、従来の問題を解決するためになされたもので、パネルの取付けにねじを用いる場合に、見栄えを悪くすることなく着脱可能に取り付けることができる照明器具を提供することを目的とする。
【課題を解決するための手段】
【０００６】
本発明の照明器具は、発光部を支持し、前記発光部の照射方向に開口を有する器具本体と、前記開口に取り付けられるパネルと、前記パネルを前記器具本体に取り付ける枠と、を備え、前記枠が、前記パネルの下面を上方移動可能に支持するパネル支持部と、前記パネル支持部の上側に対向して設けられ、前記パネルの上方への移動を規制するパネル規制板と、前記パネル支持部と前記パネル押えとを連結するとともに前記開口の内側面にねじ止めされる連結板と、を有するものである。
【発明の効果】
【０００７】
本発明は、パネルが枠のパネル支持部とパネル規制板との間で上下移動可能に支持されるため、パネルをパネル規制板側に押し上げることにより、連結板を器具本体の開口の側面にねじ止めすることができる。そして、枠を器具本体にねじ止めした後にパネルを下降させてパネル支持部で支持することにより、ねじはパネルで隠されるので、見栄えを悪くすることなくねじ止めすることができるという効果を有する照明器具を提供できる。
【図面の簡単な説明】
【０００８】
【図１】本発明に係る実施形態の照明器具を示す分解斜視図
【図２】天井に取り付けられた照明器具の断面図
【図３】（Ａ）は取付金具の側面図であり、（Ｂ）は（Ａ）中Ｂ方向から見た取付金具の平面図であり、（Ｃ）は取付金具の別の例の平面図
【図４】（Ａ）は枠を上方から見た全体平面図であり、（Ｂ）は枠を下方から見た全体底面図
【図５】（Ａ）は枠の断面図であり、（Ｂ）は（Ａ）中Ｂ方向から見た正面図
【図６】取付ばねを用いてパネルを器具本体に取り付ける従来の照明器具における要部断面図
【図７】ねじを用いてパネルを器具本体下面に取り付ける従来の照明器具における要部断面図
【発明を実施するための形態】
【０００９】
以下、本発明の実施形態の照明器具について、図面を用いて説明する。
図１および図２に示すように、本発明に係る実施形態の照明器具１０は、被取付部である天井１１に設けられている取付穴１２に嵌め込んで、例えば、下方を照明するのに用いることができる。
照明器具１０は、建造物の構造部材に接続されているアンカーボルト１３に固定される器具本体２０を有する。
【００１０】
器具本体２０は、矩形の天板２２と、天板２２の四辺から照射方向（以後、「下方」ともいう。）に向けて設けられている側板２３を有する。側板２３の下端には、開口２１が形成される。
各側板２３の内面下端部には、側板２３の長手方向に沿って取付金具２５が２個以上設けられている。
器具本体２０の天板２２の上面には、点灯装置５０等の電気部品が取り付けられている。
器具本体２０の下端で開口２１の周囲には、全周に亘って折返部２４が設けられており、器具本体２０を天井１１の取付穴１２に嵌め込んだ際に、天井１１の下面に当接する（図５（Ａ）参照）。
【００１１】
器具本体２０の内部には、発光部４０が取り付けられる。
発光部４０は、光源である複数のＬＥＤチップ（図示省略）を実装したＬＥＤ基板４１と、ＬＥＤチップから発せられた光を下方に反射する反射板４２を有する。
反射板４２は全体四角錐台形状をしており、照射方向に向かって外側に拡開している。
反射板４２の上板４２Ａの下面に、ＬＥＤ基板４１が配置される。
【００１２】
発光部４０の照射方向である器具本体２０の開口２１には、透光性のパネル３１が取り付けられる。
パネル３１は、開口２１の形状に対応した矩形状を呈している。
【００１３】
図４（Ａ）および図４（Ｂ）に示すように、枠３２はパネル３１の外径に対応する矩形状を呈している。
図５（Ａ）および図５（Ｂ）に示すように、枠３２は、パネル支持部３３と、パネル押え３４とから構成される。
パネル支持部３３は、上向きに開口する断面コ字形状で全体矩形枠状を呈しており、パネル支持部３３は、パネル３１の下面を上方移動可能に支持する。
パネル支持部３３は、天井１１に設けられている取付穴１２よりも大きく形成されており、照明器具１０を天井１１の取付穴１２に取り付けた際に、天井１１の下面に当接する大きさを有する。
これにより、照明器具１０を下方から見た際に、パネル支持部３３のみが見えるので、外観が向上する。
【００１４】
パネル押え３４はパネル支持部３３の上面３３Ａに取り付けられる。
パネル押え３４は、パネル支持部３３の一辺よりも短く形成されており、パネル支持部３３の隅角部には設けられていない（図４（Ａ）参照）。
パネル押え３４は、パネル３１の上方への移動を規制するパネル規制板３４Ａと、パネル支持部３３に取り付けられるベース板３４Ｂと、ベース板３４Ｂとパネル規制板３４Ａを連結する立壁（連結板）３４Ｃとを有する。
従って、パネル３１は、パネル支持部３３とパネル規制板３４Ａとの間で上下移動可能に支持される（図２参照）。
立壁３４Ｃは、所定位置にねじ２７用の貫通孔３５が設けられており、後述する取付金具２５を介して器具本体２０の側板２３にねじ２７で取り付けられる。
【００１５】
器具本体２０の側板２３には、枠３２を取り付けるための取付金具２５が取り付けられている（図１および図２参照）。
図３（Ａ）および図３（Ｂ）に示すように、取付金具２５は、立方体形状をしている。取付金具２５は、開口２１の中心側に位置する前板２５Ａ、器具本体２０の側板に取り付けられる後板２５Ｂ、前板２５Ａと後板２５Ｂを連結するリブ板２５Ｃを有する。
後板２５Ｂは、溶接や接着剤で器具本体２０の側板２３に取り付けることができる。
前板２５Ａには、ねじ孔２６が設けられている。
【００１６】
次に、パネル３１の着脱動作について説明する。
パネル３１を器具本体２０に取り付ける際には、図２に示すように、枠３２に収容されているパネル３１を押し上げて（図２中矢印Ａ参照）、パネル押え３４のパネル規制板３４Ａ側へ移動させる。
これにより、器具本体２０の開口２１から、パネル押え３４の立壁３４Ｃに設けられている貫通孔３５（図５（Ａ）および（Ｂ）参照）が目視できる。
【００１７】
次いで、ねじ２７を貫通孔３５に挿入して、器具本体２０の取付金具２５のねじ孔２６（図３（Ａ）〜（Ｃ）参照）にねじ２７の先端を挿入し、ねじ２７を締め付ける。
その後、パネル３１を上方へ押えている手を放すと、パネル３１が下降して（図２中矢印Ｂ参照）、パネル支持部３３の上端面３３Ｂ（図５（Ａ）参照）に当接して支持される。
同様にして、枠３２の四辺を、器具本体２０の取付金具２５に、ねじ２７で取り付ける。
【００１８】
一方、器具本体２０に取り付けられているパネル３１を取り外すには、パネル３１を上方へ押し上げてねじ２７を露出させ、ねじ２７を緩めて枠３２を取付金具２５から外す。
同様にして、枠３２の四辺を取付金具２５から外す。
【００１９】
本発明の照明器具１０の作用効果について説明する。
図２に示すように、パネル３１を押し上げることにより、枠３２の立壁３４Ｃに設けられている貫通孔３５が露出するので、ねじ２７を挿入して枠３２を器具本体２０の取付金具２５に取り付けることができる。
そして、パネル３１を放すことにより、パネル３１が下降してねじ２７および貫通孔３５を隠す。
これにより、見栄えを悪くすることなくねじ止めすることができる。
また、貫通孔３５を立壁３４Ｃに設け、照明器具１０が設置される設置面に対して平行にねじ２７で固定することで、万一、ねじ２７が緩んだ場合でも、ねじ２７が即座に落下するおそれが低くなるので、パネル落下の抑制にもつながる。
【００２０】
本発明の照明器具は、前述した実施形態に限定されるものでなく、適宜な変形、改良等が可能である。
例えば、前述した実施形態においては、器具本体２０の各側板２３に、立方体の取付金具２５を複数設ける場合について例示した。このほか、本発明では、図３（Ｃ）に示すように、取付金具２５を複数連結したような棒状に形成して、ねじ孔２６を所定の位置に設けることも可能である。
【００２１】
また、前述した実施形態においては、パネル３１を支持する矩形状の枠３２の四辺を、ねじ２７で器具本体２０の取付金具２５に取り付ける場合について例示した。
このほか、枠３２の一辺を器具本体２０に引っ掛けて回動可能に支持し、引っ掛けた辺に対向する辺をねじ２７で取付金具２５に取り付けるようにすることも可能である。このようにすることにより、パネル３１の着脱が一層容易になる。
【符号の説明】
【００２２】
１０  照明器具
２０  器具本体
２１  開口
２７  ねじ
３１  パネル
３２  枠
３３  パネル支持部
３４Ａ  パネル規制板
３４Ｃ  立壁（連結板）
４０  発光部
【図１】
2014071940.tif 000003
【図２】
2014071940.tif 000004
【図３】
2014071940.tif 000005
【図４】
2014071940.tif 000006
【図５】
2014071940.tif 000007
【図６】
2014071940.tif 000008
【図７】
2014071940.tif 000009